(57)【要約】【課題】簡易な構成で記録媒体を加熱することが可能なヘッドスライダを提供する。【解決手段】本発明のヘッドスライダ１０では、ディスク状記録媒体２と対向する媒体対向面１０ａに開口する穴部１４ｈが形成され、穴部１４ｈ内には、通電により発熱する発熱素子３２と、発熱素子３２から発せられた熱をディスク状記録媒体２に向けて反射する反射部４３と、が配置される、ことを特徴とする。【選択図】図２
2010097677.tif 000002
【特許請求の範囲】
【請求項１】
記録媒体上に浮上し、データの書き込みを行うヘッドスライダであって、
前記記録媒体と対向する媒体対向面に開口する穴部が形成され、
前記穴部内には、通電により発熱する発熱素子と、前記発熱素子から発せられた熱を前記記録媒体に向けて反射する反射部と、が配置される、
ことを特徴とするヘッドスライダ。
【請求項２】
前記反射部は、前記穴部内のうち、前記発熱素子よりも前記記録媒体から離れた側に少なくとも形成される、
請求項１に記載のヘッドスライダ。
【請求項３】
前記反射部は、前記穴部の内面上に形成される、
請求項１に記載のヘッドスライダ。
【請求項４】
前記発熱素子は、前記穴部の内面から離れて配置される、
請求項１に記載のヘッドスライダ。
【請求項５】
前記反射部は、湾曲した反射面を有し、前記発熱素子から発せられた熱を、前記穴部の開口よりも狭い範囲に集光する、
請求項１に記載のヘッドスライダ。
【請求項６】
前記反射部の反射面は、前記発熱素子および前記穴部の開口を通るように切断された断面において、前記発熱素子から前記記録媒体に向かう方向が長軸方向とされた楕円状の曲線を為す、
請求項１に記載のヘッドスライダ。
【請求項７】
前記穴部の内面は、前記発熱素子および前記穴部の開口を通るように切断された断面において、前記発熱素子から前記記録媒体に向かう方向が長軸方向とされた楕円状の曲線を為し、
前記反射部は、前記穴部の内面に沿って形成される、
請求項１に記載のヘッドスライダ。
【請求項８】
前記反射面は、前記記録媒体に対する当該ヘッドスライダの相対移動方向に沿って、前記発熱素子および前記穴部の開口を通るように切断された断面において、前記楕円状の曲線を為す、
請求項６に記載のヘッドスライダ。
【請求項９】
前記反射面は、前記記録媒体に対する当該ヘッドスライダの相対移動方向と交差する方向に沿って、前記発熱素子および前記穴部の開口を通るように切断された断面において、前記楕円状の曲線を為す、
請求項６に記載のヘッドスライダ。
【請求項１０】
前記反射面は、楕円筒面状に形成される、
請求項６に記載のヘッドスライダ。
【請求項１１】
前記楕円状の曲線によって前記穴部内に定められる第１の焦点の位置に、前記発熱素子が配置される、
請求項６に記載のヘッドスライダ。
【請求項１２】
前記楕円状の曲線によって前記穴部外に定められる第２の焦点が、前記記録媒体上に位置する、
請求項１０に記載のヘッドスライダ。
【請求項１３】
前記穴部は、データの書き込みが行われる位置よりも、前記記録媒体に対する当該ヘッドスライダの相対移動方向の前側に形成される、
請求項１に記載のヘッドスライダ。
【請求項１４】
前記発熱素子は、折り返されて並列した部分を少なくとも含む線状の電熱部材で構成される、
請求項１に記載のヘッドスライダ。
【請求項１５】
前記発熱素子は、蛇行した線状の電熱部材で構成される、
請求項１に記載のヘッドスライダ。
【請求項１６】
前記穴部内に充填された、前記発熱素子から発せられる熱に対して透熱性を有する透熱部材を更に備える、
請求項１に記載のヘッドスライダ。
【請求項１７】
請求項１に記載のヘッドスライダを備えるヘッドアッセンブリ。
【請求項１８】
請求項１７に記載のヘッドアッセンブリを備える磁気ディスク装置。
【請求項１９】
データが書き込まれる磁気記録層の下に、該磁気記録層よりも熱伝導性が低い低熱伝導層を含むディスク状記録媒体を更に備える、
請求項１８に記載の磁気ディスク装置。
【発明の詳細な説明】
【技術分野】
【０００１】
本発明は、ヘッドスライダ、ヘッドアッセンブリ及び磁気ディスク装置に関し、特に、熱アシスト磁気記録を実現するヘッドスライダの構成に関する。
【背景技術】
【０００２】
近年、磁気ディスク装置の記録密度を向上させる技術の一つとして、熱アシスト磁気記録が提案されている。この熱アシスト磁気記録は、記録媒体に磁場と熱とを印加することでデータを記録する技術である。特許文献１には、記録媒体を加熱する手段としてレーザー光源および近接場光学素子を用いたヘッドスライダが開示されている。
【特許文献１】特開２００８−１００２６号公報
【発明の開示】
【発明が解決しようとする課題】
【０００３】
しかしながら、上記従来のヘッドスライダでは、レーザー光源をヘッドスライダとヘッド支持部材との間に配置し、近接場光学素子を媒体対向面側に配置しているため、レーザー光源から近接場光学素子まで光を導くための導波路をヘッドスライダに形成しなければならず、記録媒体を加熱するための構成が複雑にならざるを得ない。また、レーザー光源がヘッドスライダとヘッド支持部材との間に配置されているため、レーザー光源の発熱に伴うヘッド支持部材の熱変形も問題となる。
【０００４】
本発明は、上記実情に鑑みて為されたものであり、簡易な構成で記録媒体を加熱することが可能なヘッドスライダ、ヘッドアッセンブリ及び磁気ディスク装置を提供することを主な目的とする。
【課題を解決するための手段】
【０００５】
上記課題を解決するため、本発明のヘッドスライダは、記録媒体上に浮上し、データの書き込みを行うヘッドスライダであって、前記記録媒体と対向する媒体対向面に開口する穴部が形成され、前記穴部内には、通電により発熱する発熱素子と、前記発熱素子から発せられた熱を前記記録媒体に向けて反射する反射部と、が配置される、ことを特徴とする。
【０００６】
本発明の一態様において、前記反射部は、前記穴部内のうち、前記発熱素子よりも前記記録媒体から離れた側に少なくとも形成される。
【０００７】
本発明の一態様において、前記反射部は、前記穴部の内面上に形成される。
【０００８】
本発明の一態様において、前記発熱素子は、前記穴部の内面から離れて配置される。
【０００９】
本発明の一態様において、前記反射部は、湾曲した反射面を有し、前記発熱素子から発せられた熱を、前記穴部の開口よりも狭い範囲に集光する。
【００１０】
本発明の一態様において、前記反射部の反射面は、前記発熱素子および前記穴部の開口を通るように切断された断面において、前記発熱素子から前記記録媒体に向かう方向が長軸方向とされた楕円状の曲線を為す。
【００１１】
本発明の一態様において、前記穴部の内面は、前記発熱素子および前記穴部の開口を通るように切断された断面において、前記発熱素子から前記記録媒体に向かう方向が長軸方向とされた楕円状の曲線を為し、前記反射部は、前記穴部の内面に沿って形成される。
【００１２】
また、前記反射面は、前記記録媒体に対する当該ヘッドスライダの相対移動方向に沿って、前記発熱素子および前記穴部の開口を通るように切断された断面において、前記楕円状の曲線を為すようにしてもよい。
【００１３】
また、前記反射面は、前記記録媒体に対する当該ヘッドスライダの相対移動方向と交差する方向に沿って、前記発熱素子および前記穴部の開口を通るように切断された断面において、前記楕円状の曲線を為すようにしてもよい。
【００１４】
また、前記反射面は、楕円筒面状に形成されるようにしてもよい。
【００１５】
また、前記楕円状の曲線によって前記穴部内に定められる第１の焦点の位置に、前記発熱素子が配置されるようにしてもよい。
【００１６】
また、前記楕円状の曲線によって前記穴部外に定められる第２の焦点が、前記記録媒体上に位置するようにしてもよい。
【００１７】
本発明の一態様において、前記穴部は、データの書き込みが行われる位置よりも、前記記録媒体に対する当該ヘッドスライダの相対移動方向の前側に形成される。
【００１８】
本発明の一態様において、折り返されて並列した部分を少なくとも含む線状の電熱部材で構成される。
【００１９】
本発明の一態様において、前記発熱素子は、蛇行した線状の電熱部材で構成される。
【００２０】
本発明の一態様において、前記穴部内に充填された、前記発熱素子から発せられる熱に対して透熱性を有する透熱部材を更に備える。
【００２１】
本発明のヘッドアッセンブリは、上記ヘッドスライダを備えることを特徴とする。
【００２２】
本発明の磁気ディスク装置は、上記ヘッドアッセンブリを備えることを特徴とする。
【００２３】
本発明の一態様では、データが書き込まれる磁気記録層の下に、該磁気記録層よりも熱伝導性が低い低熱伝導層を含むディスク状記録媒体を更に備える。
【発明の効果】
【００２４】
本発明によれば、媒体対向面に開口する穴部内に発熱素子および反射部が配置されるので、簡易な構成で記録媒体を加熱することができる。また、媒体対向面側に発熱素子が配置されるので、ヘッド支持部材への熱の影響を低減することができる。
【発明を実施するための最良の形態】
【００２５】
本発明のヘッドスライダ、ヘッドアッセンブリ及び磁気ディスク装置の実施形態について、図面を参照しながら説明する。
【００２６】
図１は、磁気ディスク装置１の斜視図である。同図では、トップカバーの図示を省略している。磁気ディスク装置１の筐体には、ディスク状記録媒体２及びヘッドアッセンブリ４が収納されている。ディスク状記録媒体２は、筐体の底部に設けられたスピンドルモータ３に取り付けられている。ヘッドアッセンブリ４は、ディスク状記録媒体２の隣で旋回可能に支承されている。このヘッドアッセンブリ４の先端側には、サスペンションアーム５が設けられ、その先端部にヘッドスライダ１０が支持されている。他方、ヘッドアッセンブリ４の後端部には、ボイスコイルモータ７が設けられている。ボイスコイルモータ７は、ヘッドアッセンブリ４を旋回駆動することで、ヘッドスライダ１０をディスク状記録媒体２上で略半径方向に移動させる。
【００２７】
図２は、ヘッドスライダ１０の断面の概略を表す図である。同図において、Ｘ，Ｙ，Ｚ方向は、ヘッドスライダ１０の長手方向，幅方向，厚さ方向をそれぞれ表す。このうちＺ方向は、ヘッドスライダ１０の浮上方向に対応する。またＸ，Ｙ方向は、実質的に、ディスク状記録媒体２の回転方向，半径方向（すなわち、トラックの伸長方向（トラック方向），幅方向（トラック幅方向））にそれぞれ対応する。
【００２８】
また、同図中の矢印ＤＲは、ディスク状記録媒体２の回転方向を表す。従って、ヘッドスライダ１０とディスク状記録媒体２とは、この回転方向（Ｘ方向）に沿って相対移動する。
【００２９】
ヘッドスライダ１０は、サスペンションアーム５の先端部にディンプル５１を介して支持されている。このヘッドスライダ１０は、ディスク状記録媒体２と対向する媒体対向面１０ａがＡＢＳ（Air Bearing Surface）とされ、回転するディスク状記録媒体２上に空気等の気体のくさび膜効果によって浮上する。ヘッドスライダ１０の浮上量Δｆは、近年では例えば１０ｎｍ以下程度まで縮められている。
【００３０】
ヘッドスライダ１０は、アルミナとチタンカーバイトの焼結体（いわゆるアルチック）からなる扁平直方体状のスライダ基板１２と、このスライダ基板１２のトレーリング側の端面に薄膜形成技術により形成された薄膜部１４とを有している。なお、同図では、薄膜部１４の厚さがスライダ基板１２に対して強調されている。
【００３１】
この薄膜部１４には、データの書き込み及び読み出しを行う記録再生素子１４ｗが形成されている。具体的には、記録再生素子１４ｗは、コイルを流れる電流に応じた磁界を発生するインダクティブ素子からなる記録素子と、受けた磁界に応じて抵抗値が変化する磁気抵抗効果素子からなる再生素子とを含む。
【００３２】
また、薄膜部１４のうちの記録再生素子１４ｗよりもＸ方向の後側（気体流入側）には、媒体対向面１０ａに開口１４ａを有する穴部１４ｈが形成されている。この穴部１４ｈ内には、発熱素子３２及び反射部４３が配置されている。以下、これら穴部１４ｈ、発熱素子３２及び反射部４３の具体的な態様について説明する。
【００３３】
［ヘッドスライダの第１例］
図３Ａ及び図３Ｂは、第１例のヘッドスライダ１０の断面構造を表す図である。これらの図は、発熱素子３２と穴部１４ｈの開口１４ａとを通るようにＹＺ平面及びＸＺ平面のそれぞれで切断されたときの断面構造を表す。
【００３４】
穴部１４ｈは、楕円筒面状の内面１４ｆを有している。この内面１４ｆは、ＹＺ平面で切断されたときに、Ｚ方向が長軸方向、Ｙ方向が短軸方向となる楕円状曲線を為す。この穴部１４ｈは、楕円の長半径よりもやや長い深さを有し、略半周分の楕円筒状に形成されている。
【００３５】
反射部４３は、例えばＡｕ等の比較的反射率の高い金属で構成される。この反射部４３は、穴部１４ｈの内面１４ｆ全体に形成され、この内面１４ｆに沿って湾曲した反射面４３ｆを有する。従って、この反射面４３ｆも、楕円筒面状とされ、ＹＺ平面で切断されたときに、Ｚ方向が長軸方向、Ｙ方向が短軸方向となる楕円状曲線を為す。図３Ａ中には、１周分の楕円状曲線５２が二点鎖線で示される。
【００３６】
発熱素子３２は、例えばＮｉＣｒやＷ等の金属からなる電熱部材である。この発熱素子３２は、薄膜部１４内に形成された配線３８，３９と接続され、反射部４３の反射面４３ｆから離れた位置に支持されている。この発熱素子３２は、磁気ディスク装置１の制御回路（不図示）からの通電により発熱する。なお、配線３８，３９の配置は、図３Ｂに示される態様に限られず、図６Ａ及び図６Ｂに示される態様であっても構わない。
【００３７】
この発熱素子３２は、反射部４３の反射面４３ｆが為す楕円状曲線５２により穴部１４ｈ内に定められる第１の焦点の位置に配置されている。また、楕円状曲線５２により穴部１４ｈ外に定められる第２の焦点は、ディスク状記録媒体２上に位置するように設定されている。図３Ａ中には、第２の焦点５２ｂが二点鎖線で示される。
【００３８】
従って、発熱素子３２から発せられた熱（赤外線）は、反射部４３の反射面４３ｆによって反射され、ディスク状記録媒体２上の第２の焦点５２ｂに集光される。このようにして、ディスク状記録媒体２の微少領域が加熱される。
【００３９】
また、本例では、反射部４３の反射面４３ｆがＹＺ平面で楕円形状を為すので、発熱素子３２から発せられる熱を、ディスク状記録媒体２のトラック幅方向に集中させることができる。また、薄膜部１４はＸ方向に積層されるので、Ｘ方向を楕円筒の厚さ方向とすることで、穴部１４ｈの形成が容易となる。
【００４０】
なお、反射部４３の形状は、楕円筒状に限られない。但し、湾曲した反射面４３ｆによって、熱が開口１４ａよりも狭い範囲に集光されることが好ましい。また、反射部４３は、穴部１４ｈの内面１４ｆの一部に形成されてもよい。この場合、反射部４３は発熱素子３２よりもＺ方向の側に少なくとも形成されることが好ましい。
【００４１】
また、穴部１４ｈ内には、発熱素子３２から発せられる熱に対して透熱性（透光性）を有する透熱部材を充填するようにしてもよい。透熱部材としては、例えばＣａＦ２，Ｓｉ，ＳｉＯ２，サファイア等がある。
【００４２】
また、発熱素子３２の形状は、図７Ａないし図７Ｃに示される態様であってもよい。図７Ａに示される発熱素子３２Ａは、折り返された線状の電熱部材で構成されており、各配線３８，３９から一方向に並列して延びる並列部３２３，３２４と、これらが折り返されてできる折り返し部３２１とを有する。このように並列部３２３，３２４を設けることで、それぞれから生じる磁界を打ち消し合うことができる。このことは、磁気的にデータの読み書きを行う磁気ディスク装置１にとって重要である。また、電熱部材の経路が比較的長くなるので、発熱量を向上させることもできる。
【００４３】
さらに、図７Ｂに示される発熱素子３２Ｂは、蛇行した線状の電熱部材で構成されており、複数の並列部３２５と、これらの間に設けられた複数の折り返し部３２１とを有する。これによって、磁界打ち消しの効果および発熱量向上の効果を更に期待できる。図７Ｃに示される発熱素子３２Ｃは、折り返された線状の電熱部材が渦巻き状に巻かれており、渦巻き状に並列する並列部３２３，３２４と、これらが折り返されてできる折り返し部３２１とを有する。これによっても、磁界打ち消しの効果および発熱量向上の効果を更に期待できる。
【００４４】
なお、ウェーンの変移則によれば、黒体表面からの輻射のピーク波長は、例えば３０℃のときに９．５６μｍであり、温度上昇とともに低下し、１００℃のときに８μｍである。従って、穴部１４ｈの深さ、幅などの寸法は９μｍ以上であることが好ましい。また、穴部１４ｈに透熱部材が充填される場合には、透熱部材の透過波長帯が考慮される。例えば穴部１４ｈにＳｉが充填される場合、Ｓｉの透過波長帯が１．３μｍ〜９．０１μｍであるので、ピーク波長を９μｍ以下とする。この場合、発熱素子３２の温度は５０℃以上とされる。
【００４５】
［ヘッドスライダの第２例］
図４Ａ及び図４Ｂは、第２例のヘッドスライダ１０の断面構造を表す図である。これらの図は、上記第１例と同様に、発熱素子３２と穴部１４ｈの開口１４ａとを通るようにＹＺ平面及びＸＺ平面のそれぞれで切断されたときの断面構造を表す。なお、上記第１例と重複する構成については、同番号を付すことで詳細な説明を省略する。
【００４６】
穴部１４ｈの内面１４ｆ及び反射部４３の反射面４３ｆは、上記第１例と同様に、ＹＺ平面で切断されたときに、Ｚ方向が長軸方向、Ｙ方向が短軸方向となる楕円状曲線を為す一方で、ＸＺ平面で切断されたときにも、Ｚ方向が長軸方向、Ｘ方向が短軸方向となる楕円状曲線を為す。
【００４７】
従って、本例では、上記第１例の効果に加えて、発熱素子３２から発せられる熱を、ディスク状記録媒体２のトラック方向にも集中させることができるので、ディスク状記録媒体２の微少領域の加熱効率を向上させることができる。
【００４８】
次に、図５Ａ及び図５Ｂを用いて、ヘッドスライダ１０による熱および磁場の印加について説明する。これらの図では、磁気記録層２１を構成する各微少領域２１ｍの磁化の方向が矢印で表される。また、矢印ＤＲはディスク状記録媒体２の回転方向を表す。
【００４９】
磁気記録層２１の任意の微少領域２１ｍは、図５Ａに示されるように、まず穴部１４ｈの下方を通るときに、発熱素子３２から発せられる熱によって加熱される。そして、この加熱された微少領域２１ｍは、図５Ｂに示されるように、記録再生素子１４ｗの下方を通るときに、記録再生素子１４ｗから発せられる記録磁界によって磁化の向きが反転される。このように、加熱されて保持力が低下した状態の微少領域２１ｍに記録磁界を印加することで、磁化の向きを容易に反転させることができる。
【００５０】
なお、これらの図に示すように、磁気記録層２１下には、それよりも熱伝導性の低い低熱伝導層２３が設けられてもよい。これによれば、微少領域２１ｍに照射された熱が拡散してしまうことを抑制できる。
【００５１】
［シミュレーション実験］
以下、上記図３Ａ及び図３Ｂに示した第１例に係るシミュレーション実験について説明する。楕円状曲線５２の中心をＹ−Ｚ座標の原点としたとき、楕円状曲線５２の方程式は下記数式１で表される。この数式１において、ａは楕円の長半径、ｂは楕円の短半径、ｙ及びｚは楕円円周上の任意の点を表す。
【００５２】
【数１】
2010097677.tif 000003
【００５３】
ここで、発熱素子３２が配置される第１の焦点の座標は（０，（ａ２−ｂ２）１／２）、第２の焦点５２ｂの座標は（０，−（ａ２−ｂ２）１／２）で表される。
【００５４】
また、輻射熱の単位面積あたり熱流速Ｅｂは、ステファン−ボルツマンの法則により下記数式２で表される。この数式２において、σはステファン−ボルツマン定数、Ｔは絶対温度を表す。
【００５５】
【数２】
2010097677.tif 000004
【００５６】
ここで、穴部１４ｈ内に反射部４３がないと仮定した場合、発熱素子３２の温度をＴ１、第２の焦点５２ｂの温度をＴ２とすると、発熱素子３２からディスク状記録媒体２へ伝播する放射エネルギーｑ１→２は、下記数式３で表される。この数式３において、φ１は総括吸収率、Ｓ１は発熱素子３２の表面積、Ｓ２はディスク状記録媒体２の被加熱部分の表面積を表す。
【００５７】
【数３】
2010097677.tif 000005
【００５８】
また、加熱によるディスク状記録媒体２の温度上昇量をΔＴ３とすると、このΔＴ３は、下記数式４に基づき、下記数式５で表すことができる。
【００５９】
【数４】
2010097677.tif 000006
【００６０】
【数５】
2010097677.tif 000007
【００６１】
次に、穴部１４ｈ内に反射部４３がある場合について考える。発熱素子３２から反射面４３ｆへ伝播する放射エネルギーｑ１→４は、下記数式６で表される。この数式６において、Ｓ４は反射面４３ｆの面積、Φ２は総括吸収率を表す。
【００６２】
【数６】
2010097677.tif 000008
【００６３】
また、加熱による反射部４３の温度上昇量をΔＴ５とすると、このΔＴ５は、下記数式７に基づき、下記数式８で表すことができる。
【００６４】
【数７】
2010097677.tif 000009
【００６５】
【数８】
2010097677.tif 000010
【００６６】
また、反射部４３からディスク状記録媒体２へ伝播する放射エネルギーｑ４→２は、下記数式９で表される。この数式９において、Φ３は総括吸収率、δは反射部４３における熱の反射率を表す。
【００６７】
【数９】
2010097677.tif 000011
【００６８】
そして、全放射エネルギーｑ１→２＋ｑ４→２によるディスク状記録媒体２の温度上昇量をΔＴ６とすると、このΔＴ６は、下記数式１０に基づき、下記数式１１で表すことができる。
【００６９】
【数１０】
2010097677.tif 000012
【００７０】
【数１１】
2010097677.tif 000013
【００７１】
ここで、例えば、発熱素子３２の温度を１００℃、表面積をＸ軸方向に１０μｍ、Ｙ軸方向に１μｍの１０μｍ２とする。ディスク状記録媒体２の被加熱部分の初期温度を２３℃、表面積をＸ軸方向に１０μｍ、Ｙ軸方向に１μｍの１０μｍ２とする。反射部４３の初期温度を２３℃とし、長半径を１００μｍ、短半径を５０μｍとする。また、第２の焦点５２ｂはディスク状記録媒体２の表面から５ｎｍの深さにあり、ヘッドスライダ１０の浮上量Δｆは５ｎｍであるものとする。反射部４３はｚ＝―８６．６μｍ〜１００μｍの範囲で形成されているものとする。このとき、反射部４３の表面積はＳ４≒３９００μｍ２となる。また、反射部４３がない場合の総括吸収率を０．９とし、反射部４３がある場合の総括吸収率をΦ２＝０．９２８、Φ３＝０．３２とする。また、反射部４３がＡｕで構成されていると仮定し、その反射率を０．９７とする。このとき、反射部４３がない場合のディスク状記録媒体２の温度上昇量ΔＴ３は、上記数式５に基づき、下記数式１２で表される。他方、反射部４３がある場合のディスク状記録媒体２の温度上昇量ΔＴ６は、上記数式１１に基づき、下記数式１３で表される。
【００７２】
【数１２】
2010097677.tif 000014
【００７３】
【数１３】
2010097677.tif 000015
【００７４】
このように、反射部４３がある場合とない場合とでは、温度上昇量が１．６倍程度異なることになる。この反射部４３がある場合のディスク状記録媒体２の温度上昇量ΔＴ６は、熱アシスト磁気記録を行うのに十分な量である。
【００７５】
以上、本発明の実施形態について説明したが、本発明は上記実施形態に限定されるものではなく、種々の変形実施が当業者にとって可能であるのはもちろんである。例えば、穴部１４ｈの位置は、記録再生素子１４ｗよりも気体流出側であってもよい。この場合、発熱素子３２がよりディスク状記録媒体２に近づくので、ディスク状記録媒体２を加熱しやすくなる。また、穴部１４ｈの位置は、記録再生素子１４ｗを構成する記録素子および再生素子の間であってもよい。この場合、発熱素子３２がより記録素子に近づくので、ディスク状記録媒体２の加熱量を高めることができる。
【図面の簡単な説明】
【００７６】
【図１】本発明の一実施形態に係る磁気ディスク装置の斜視図である。
【図２】本発明の一実施形態に係るヘッドスライダの断面の概略を表す図である。
【図３Ａ】ヘッドスライダの第１例がＹＺ平面で切断されたときの断面構造を表す図である。
【図３Ｂ】ヘッドスライダの第１例がＸＺ平面で切断されたときの断面構造を表す図である。
【図４Ａ】ヘッドスライダの第２例がＹＺ平面で切断されたときの断面構造を表す図である。
【図４Ｂ】ヘッドスライダの第２例がＸＺ平面で切断されたときの断面構造を表す図である。
【図５Ａ】ヘッドスライダによる熱の印加を説明する図である。
【図５Ｂ】ヘッドスライダによる磁場の印加を説明する図である。
【図６Ａ】発熱素子に接続される配線の変形例を表す図である。
【図６Ｂ】発熱素子に接続される配線の変形例を表す図である。
【図７Ａ】発熱素子の変形例を表す図である。
【図７Ｂ】発熱素子の変形例を表す図である。
【図７Ｃ】発熱素子の変形例を表す図である。
【符号の説明】
【００７７】
１  磁気ディスク装置、２  ディスク状記録媒体、３  スピンドルモータ、４  ヘッドアッセンブリ、５  サスペンションアーム、７  ボイスコイルモータ、１０  ヘッドスライダ、１０ａ  媒体対向面、１２  スライダ基板、１４  薄膜部、１４ａ  開口、１４ｆ  内面、１４ｈ  穴部、１４ｗ  記録再生素子、２１  磁気記録層、２３  低熱伝導層、３２  発熱素子、３２１  折り返し部、３２３〜３２５  並列部、３８，３９  配線、４３  反射部、４３ｆ  反射面、５１  ディンプル、５２,５４  楕円状曲線、５２ｂ  第２の焦点。
【図１】
2010097677.tif 000016
【図２】
2010097677.tif 000017
【図３Ａ】
2010097677.tif 000018
【図３Ｂ】
2010097677.tif 000019
【図４Ａ】
2010097677.tif 000020
【図４Ｂ】
2010097677.tif 000021
【図５Ａ】
2010097677.tif 000022
【図５Ｂ】
2010097677.tif 000023
【図６Ａ】
2010097677.tif 000024
【図６Ｂ】
2010097677.tif 000025
【図７Ａ】
2010097677.tif 000026
【図７Ｂ】
2010097677.tif 000027
【図７Ｃ】
2010097677.tif 000028